【手続補正書】
【提出日】令和3年5月28日(2021.5.28)
【手続補正１】
【補正対象書類名】明細書
【補正対象項目名】発明の名称
【補正方法】変更
【補正の内容】
【発明の名称】マウント装置、撮像装置、アダプタ装置およびアクセサリ
【手続補正２】
【補正対象書類名】明細書
【補正対象項目名】０００１
【補正方法】変更
【補正の内容】
【０００１】
本発明は、他の機器との電気的な接続が可能な端子をマウントに備えた、マウント装置、撮像装置、アダプタ装置およびアクセサリに関する。
【手続補正３】
【補正対象書類名】明細書
【補正対象項目名】０００８
【補正方法】変更
【補正の内容】
【０００８】
本発明の目的は、電気的な接続に係る信頼性の低下を抑制しつつ、マウント装置に対するアクセサリの装着に関する誤検知を防止することである。
【手続補正４】
【補正対象書類名】明細書
【補正対象項目名】０００９
【補正方法】変更
【補正の内容】
【０００９】
上記目的を達成するために、本発明のマウント装置は、アクセサリを着脱できるマウント装置であって、マウント部と、当該マウント部の周方向に沿って配され、前記アクセサリとの電気的な接続に用いる複数の端子と、前記複数の端子が配された端子保持部と、を有し、前記端子保持部は、前記マウント部の中心軸方向において、前記複数の端子のうちで、前記アクセサリに設けられた端子と第１の位置で接触する端子が配された第１の領域と、前記アクセサリに設けられた端子と前記第１の位置とは異なる第２の位置で接触する端子が配された第２の領域を含み、前記第１の領域は、前記マウント部を前記マウント部の中心軸方向から見た場合に、前記第２の領域とは異なる領域であって、前記第２の領域は、前記マウント装置に前記アクセサリが装着された際に、前記マウント部の中心軸方向において、前記第１の領域よりも前記アクセサリ側に位置しており、前記複数の端子は、前記端子保持部の前記第１の領域において、前記マウント装置に前記アクセサリが装着されたことを検出するのに用いる第１の端子を備え、前記端子保持部の前記第２の領域において、前記マウント装置から前記アクセサリに対して通信用の電力を供給するのに用いる第２の端子を備え、前記第１の端子は、前記端子保持部の前記第１の領域に配された複数の端子のうちの他の端子よりも前記第２の領域の近くに配されていることを特徴とする。
【手続補正５】
【補正対象書類名】明細書
【補正対象項目名】００１０
【補正方法】変更
【補正の内容】
【００１０】
本発明によれば、電気的な接続に係る信頼性の低下を抑制しつつ、マウント装置に対するアクセサリの装着に関する誤検知を防止することができる。
【手続補正６】
【補正対象書類名】特許請求の範囲
【補正対象項目名】全文
【補正方法】変更
【補正の内容】
【特許請求の範囲】
【請求項１】
アクセサリを着脱できるマウント装置であって、マウント部と、
当該マウント部の周方向に沿って配され、前記アクセサリとの電気的な接続に用いる複数の端子と、
前記複数の端子が配された端子保持部と、
を有し、
前記端子保持部は、前記マウント部の中心軸方向において、前記複数の端子のうちで、前記アクセサリに設けられた端子と第１の位置で接触する端子が配された第１の領域と、前記アクセサリに設けられた端子と前記第１の位置とは異なる第２の位置で接触する端子が配された第２の領域を含み、
前記第１の領域は、前記マウント部を前記マウント部の中心軸方向から見た場合に、前記第２の領域とは異なる領域であって、
前記第２の領域は、前記マウント装置に前記アクセサリが装着された際に、前記マウント部の中心軸方向において、前記第１の領域よりも前記アクセサリ側に位置しており、
前記複数の端子は、前記端子保持部の前記第１の領域において、前記マウント装置に前記アクセサリが装着されたことを検出するのに用いる第１の端子を備え、前記端子保持部の前記第２の領域において、前記マウント装置から前記アクセサリに対して通信用の電力を供給するのに用いる第２の端子を備え、
前記第１の端子は、前記端子保持部の前記第１の領域に配された複数の端子のうちの他の端子よりも前記第２の領域の近くに配されていることを特徴とするマウント装置。
【請求項２】
前記第２の端子は、前記端子保持部の前記第２の領域に配された複数の端子のうちの他の端子よりも、前記端子保持部の前記第１の領域から離れて配されていることを特徴とする請求項１に記載のマウント装置。
【請求項３】
前記複数の端子は、前記端子保持部の前記第２の領域において、前記第２の端子とは異なる端子であって、前記マウント装置から前記アクセサリに対して電力を供給するのに用いる第３の端子を備え、
前記第３の端子は、前記第２の端子よりも前記端子保持部の前記第１の領域の近くに配されていることを特徴とする請求項２に記載のマウント装置。
【請求項４】
前記第３の端子は、前記マウント装置に前記アクセサリが装着された際に、前記アクセサリの内部に設けられた部材への電力の供給に用いる端子であることを特徴とする請求項３に記載のマウント装置。
【請求項５】
前記複数の端子は、前記アクセサリに設けられた複数の端子と電気的な接続が可能な接点ピンであって、
前記第２の端子と前記第３の端子との間のピッチが、前記端子保持部の前記第１の領域に配された他の隣り合う端子間のピッチのいずれか１つよりも広いことを特徴とする請求項３又は４に記載のマウント装置。
【請求項６】
前記端子間のピッチは、前記マウント部の周方向における、隣り合う端子の中心間の距離であることを特徴とする請求項５に記載のマウント装置。
【請求項７】
前記端子間のピッチは、前記マウント部の周方向における、隣り合う端子の金属領域間の距離であることを特徴とする請求項５に記載のマウント装置。
【請求項８】
前記複数の端子は、前記アクセサリに設けられた複数の端子と電気的な接続が可能な接点面であって、
前記第１の端子は、前記端子保持部の前記第１の領域に設けられた他の端子よりも、前記マウント部の周方向における幅が狭いことを特徴とする請求項３乃至７の何れか１項に記載のマウント装置。
【請求項９】
前記複数の端子は、前記端子保持部の前記第２の領域において、前記マウント装置に装着された前記アクセサリの種類を検出するのに用いる第４の端子を備え、
前記第４の端子は、前記第２の端子および前記第３の端子よりも前記端子保持部の前記第１の領域の近くに配されていることを特徴とする請求項３乃至８の何れか１項に記載のマウント装置。
【請求項１０】
前記複数の端子は、前記端子保持部の前記第１の領域に、前記第２の端子に対応する基準電圧レベルを示す第５の端子を備え、
前記第５の端子は、前記端子保持部の前記第１の領域に配された複数の端子のうちの他の端子よりも、前記端子保持部の前記第２の領域から離れて配されていることを特徴とする請求項９に記載のマウント装置。
【請求項１１】
前記複数の端子は、前記端子保持部の前記第２の領域に、前記第３の端子に対応する基準電圧レベルを示す第６の端子を備え、
前記第６の端子は、前記端子保持部の前記第２の領域に配された前記第２の端子、前記第３の端子、前記第４の端子よりも、前記端子保持部の前記第１の領域の近くに配されていることを特徴とする請求項１０に記載のマウント装置。
【請求項１２】
前記複数の端子は、前記マウント装置と前記アクセサリとの通信に対応した第７の端子、第８の端子、第９の端子、第１０の端子、第１１の端子、第１２の端子を備え、
前記第７の端子、前記第８の端子、前記第９の端子、前記第１０の端子、前記第１１の端子、前記第１２の端子は、前記端子保持部の前記第１の領域において、前記第１の端子と前記第５の端子の間に配されていることを特徴とする請求項１１に記載のマウント装置。
【請求項１３】
前記第１の端子は、前記マウント装置に前記アクセサリが装着される際に、前記端子保持部の前記第１の領域に設けられた複数の端子のうちで、前記アクセサリに設けられた対応する端子と最後に接触することを特徴とする請求項１乃至１２の何れか１項に記載の撮像装置。
【請求項１４】
前記複数の端子は、前記端子保持部の前記第１の領域に配された端子の数よりも、前記端子保持部の前記第２の領域に配された端子の数の方が少ないことを特徴とする請求項１乃至１３の何れか１項に記載のマウント装置。
【請求項１５】
前記端子保持部は、前記第１の領域として、前記マウント部の中心軸方向において、前記アクセサリに設けられた端子と前記第１の位置で接触する端子が配された第１の段を備え、
前記端子保持部は、前記第２の領域として、前記マウント部の中心軸方向において、前記アクセサリに設けられた端子と前記第２の位置で接触する端子が配された第２の段を備えていることを特徴とする請求項１乃至１４の何れか１項に記載のマウント装置。
【請求項１６】
前記マウント部の周方向に沿って配された複数の爪部を更に備え、
前記複数の爪部は、前記マウント装置に前記アクセサリを着脱する際に、前記アクセサリに設けられた複数の爪部に対して相対的に回転することを特徴とする請求項１乃至１５の何れか１項に記載のマウント装置。
【請求項１７】
請求項１乃至１６の何れか１項に記載されたマウント装置を備えた撮像装置。
【請求項１８】
請求項１乃至１６の何れか１項に記載されたマウント装置を備えたアダプタ装置であって、
前記第２のマウントとは異なる第３のマウントを有し、
前記第３のマウントは、撮像装置に設けられた第４のマウントと結合できることを特徴とするアダプタ装置。
【請求項１９】
マウント装置に着脱できるアクセサリであって、
マウント部と、
当該マウント部の周方向に沿って配され、前記マウント装置との電気的な接続に用いる複数の端子と、
前記複数の端子が配された端子保持部と、
を有し、
前記端子保持部は、前記複数の端子のうちで、前記マウント部の中心軸方向において、前記マウント装置に設けられた端子と第１の位置で接触する端子が配された第１の領域と、前記マウント部の中心軸方向において、前記マウント装置に設けられた端子と前記第１の位置とは異なる第２の位置で接触する端子が配された第２の領域を含み、
前記第１の領域は、前記マウント部を前記マウント部の中心軸方向から見た場合に、前記第２の領域とは異なる領域であって、
前記第１の領域は、前記アクセサリが前記マウント装置に装着された際に、前記マウント部の中心軸方向において、前記第２の領域よりも前記マウント装置側に位置しており、
前記複数の端子は、前記アクセサリの内部でグランドレベルに接続された第１の端子と、前記マウント装置から電力を受けるのに用いる第２の端子と、を備え、
前記第１の端子は、前記端子保持部の前記第１の領域に配された複数の端子のうちの他の端子よりも前記第２の領域の近くに配されていることを特徴とするアクセサリ。
【請求項２０】
前記第１の端子は、前記マウント装置に前記アクセサリが装着されたことを検出するのに用いることを特徴とする請求項１９に記載のアクセサリ。
【請求項２１】
前記第１の端子は、前記アクセサリが前記マウント装置に装着された際に、前記第１の端子が示す電圧が、前記マウント装置において、当該マウント装置に前記アクセサリが装着されたことを判定するためのレベルとなることを特徴する請求項２０に記載のアクセサリ。
【請求項２２】
前記第２の端子は、前記端子保持部の前記第２の領域に配された複数の端子のうちの他の端子よりも、前記端子保持部の前記第１の領域から離れて配されていることを特徴とする請求項１９乃至２１の何れか１項に記載のアクセサリ。
【請求項２３】
前記複数の端子は、前記端子保持部の前記第２の領域において、前記第２の端子とは異なる端子であって、前記マウント装置から前記アクセサリに対して電力を供給するのに用いる第３の端子を備え、
前記第２の端子は、前記マウント装置から通信用の電力を受けるのに用いる端子であって、
前記第３の端子は、前記第２の端子よりも前記端子保持部の前記第１の領域の近くに配されていることを特徴とする請求項２２に記載のマウント装置。
【請求項２４】
前記第３の端子は、前記アクセサリが前記マウント装置に装着された際に、前記アクセサリの内部に設けられた部材への電力の供給に用いる端子であることを特徴とする請求項２３に記載のアクセサリ。
【請求項２５】
前記第２の端子と前記第３の端子との間のピッチが、前記端子保持部の前記第１の領域に配された他の隣り合う端子間のピッチのいずれか１つよりも広いことを特徴とする請求項２３又は２４に記載のアクセサリ。
【請求項２６】
前記端子間のピッチは、前記マウント部の周方向における、隣り合う端子の中心間の距離であることを特徴とする請求項２５に記載のアクセサリ。
【請求項２７】
前記端子間のピッチは、前記マウント部の周方向における、隣り合う端子の金属領域間の距離であることを特徴とする請求項２５に記載のアクセサリ。
【請求項２８】
前記複数の端子は、前記アクセサリに設けられた複数の端子と電気的な接続が可能な接点面であって、
前記第１の端子は、前記端子保持部の前記第１の領域に設けられた他の端子よりも、前記マウント部の周方向における幅が狭いことを特徴とする請求項２３乃至２７の何れか１項に記載のアクセサリ。
【請求項２９】
前記複数の端子は、前記端子保持部の前記第２の領域において、前記アクセサリが前記マウント装置に装着された状態で、前記マウント装置に装着された前記アクセサリの種類を検出するのに用いる第４の端子を備え、
前記第４の端子は、前記第２の端子および前記第３の端子よりも前記端子保持部の前記第１の領域の近くに配されていることを特徴とする請求項２３乃至２８の何れか１項に記載のアクセサリ。
【請求項３０】
前記複数の端子は、前記端子保持部の前記第１の領域に、前記第２の端子に対応する基準電圧レベルを示す第５の端子を備え、
前記第５の端子は、前記端子保持部の前記第１の領域に配された複数の端子のうちの他の端子よりも、前記端子保持部の前記第２の領域から離れて配されていることを特徴とする請求項２９に記載のアクセサリ。
【請求項３１】
前記複数の端子は、前記端子保持部の前記第２の領域に、前記第３の端子に対応する基準電圧レベルを示す第６の端子を備え、
前記第６の端子は、前記端子保持部の前記第２の領域に配された前記第２の端子、前記第３の端子、前記第４の端子よりも、前記端子保持部の前記第１の領域の近くに配されていることを特徴とする請求項３０に記載のアクセサリ。
【請求項３２】
前記複数の端子は、前記アクセサリと前記マウント装置との通信に対応した第７の端子、第８の端子、第９の端子を備え、
前記第７の端子、前記第８の端子、前記第９の端子は、前記端子保持部の前記第１の領域において、前記第１の端子と前記第５の端子の間に配されていることを特徴とする請求項３１に記載のアクセサリ。
【請求項３３】
前記第１の端子は、前記アクセサリが前記マウント装置に装着される際に、前記端子保持部の前記第１の領域に設けられた複数の端子のうちで、前記マウント装置に設けられた対応する端子と最後に接触することを特徴とする請求項１９乃至３２の何れか１項に記載のアクセサリ。
【請求項３４】
前記複数の端子は、前記端子保持部の前記第１の領域に配された端子の数よりも、前記端子保持部の前記第２の領域に配された端子の数の方が少ないことを特徴とする請求項１９乃至３３の何れか１項に記載のアクセサリ。
【請求項３５】
前記端子保持部は、前記第１の領域として、前記マウント部の中心軸方向において、前記マウント装置に設けられた端子と前記第１の位置で接触する端子が配された第１の段を備え、
前記端子保持部は、前記第２の領域として、前記マウント部の中心軸方向において、前記マウント装置に設けられた端子と前記第２の位置で接触する端子が配された第２の段を備えていることを特徴とする請求項１９乃至３４の何れか１項に記載のアクセサリ。
【請求項３６】
前記マウント部の周方向に沿って配された複数の爪部を更に備え、
前記複数の爪部は、前記アクセサリが前記マウント装置に装着される際に、前記マウント装置に設けられた複数の爪部に対して相対的に回転することを特徴とする請求項１９乃至３５の何れか１項に記載のアクセサリ。
【請求項３７】
前記アクセサリは、前記マウント装置に着脱可能な交換レンズであることを特徴とする請求項１９乃至３６の何れか１項に記載のアクセサリ。
【請求項３８】
前記アクセサリは、前記マウント装置に着脱可能なアダプタ装置であることを特徴とする請求項１９乃至３６の何れか１項に記載のアクセサリ。